【事件の表示】
　特願２００１−１４４７３３「リモートコントロールシステム及び装置」拒絶査定不服審判事件〔平成１４年１１月２９日出願公開、特開２００２−３４２１０１〕について、次のとおり審決する。
【結　論】
　本件審判の請求は、成り立たない。
【理　由】
１．手続の経緯・本願発明 
　本願は、平成１３年５月１５日の出願であって、平成１７年７月７日付けで拒絶理由通知がなされ、同年９月７日付けで手続補正がなされたが、同年１２月７日付けで拒絶査定がなされ、これに対し、平成１８年１月１３日に審判請求がなされ、当審において、平成２０年４月４日付けで拒絶理由通知がなされ、同年６月５日に手続補正がなされたものである。
　
　そして、特許請求の範囲の請求項５に係る発明（以下、「本願発明」という。）は、平成２０年６月５日付け手続補正書により補正された特許請求の範囲の請求項５の記載からして、
　
「通信ネットワークに接続された複数の被制御装置夫々を複数のユーザが前記通信ネットワークを介して操作するためのスクリプトデータを管理する装置操作サーバであって、
　前記複数の被制御装置夫々について前記複数のユーザ夫々が使用する前記スクリプトデータを個々に格納する格納部を複数備え、
　前記複数の利用者の一から前記通信ネットワークを介して発行される、前記複数の被制御装置の一への指示を発行する前記複数のユーザの一が使用する端末と、該被制御装置との組み合わせに基づいて、前記複数の格納部の中から一の格納部を選択し、該格納部に格納されたスクリプトを実行することにより前記複数の被制御装置の一を制御することを特徴とする装置操作サーバ。」
　
　であると認める。
　
　なお、平成２０年６月５日付け手続補正書により補正された特許請求の範囲の請求項５の１〜２行目における記載「複数の被制御装置夫々を複数のユーザが前記通信ネットワークを介して操作するためのスクリプトデータ」からすると、特許請求の範囲の請求項５の６行目〜７行目における記載「通信ネットワークを介して発行される、前記複数の被制御端末の一への指示」、及び８行目〜９行目における記載「該格納部に格納されたスクリプトを実行することにより前記複数の被制御端末の一を制御する」における「複数の被制御端末の一」は、「複数の被制御装置の一」の誤記であると認め、本願発明を上記のように認定した。
  
２．引用文献 
　当審より通知された拒絶理由に引用された、本願出願の日前の平成１３年２月２３日に頒布された刊行物である、特開２００１−５３７７９号公報（以下、「引用文献」という。）には、図面とともに、以下の事項が記載されている。（注：下線は、便宜上当審で付与したもの。）
　
（ア）「【０００６】本発明は、上述のような検討結果に基づいてなされたものであり、
機器のユーザー
ホームネットワークを介して、機器を遠隔操作する
【０００７】
【課題を解決するための手段】本発明では、宅内の
電子機器の情報
各機器と対応づけて蓄積
ゲートウェイ装置は、そのアイコンに対応する制御情報を機器に送出し、ユーザーの指示どおりに機器を動作させる
　
（イ）「【００４６】ゲートウェイ装置１２においては、ＣＰＵ５０が装置全体の制御を行う。すなわち、ＣＰＵ５０が図１の制御部１８に相当する。また、ＣＰＵ５０に対して、ＲＯＭ５４，ＲＡＭ５２，ＩＥＥＥ１３９４コントローラ５８，ＷＡＮ制御部５６，補助記憶装置５７が内部バス５９を介して接続されている。
【００４７】　・・・（中略）・・・
【００４８】補助記憶装置５７はハードディスク等で構成され、ＷＷＷサーバ用のデータなどの保存用に使用される。すなわち、ホーム機器から吸い上げた機器情報を蓄積する情報エリアとして使用される。この情報エリアには、マッピングテーブル６０や、
ＨＴＭＬ記述６４，ＣＧＩスクリプト６６が蓄積
【００４９】マッピングテーブル６０は、ホーム機器のノードＩＤとユニークＩＤとを対応づけて管理するテーブルである。
ＨＴＭＬ記述６４はホームページの画面を作成するための情報であり、ＣＧＩスクリプト６６は、ホーム機器を制御（操作）するためのプログラム
　　・・・（中略）・・・
【００７９】このように、
ホーム機器用の制御プログラムは、ＨＴＭＬ記述や、Ｐｅｒｌのようなインタプリタ言語で記述されたＣＧＩスクリプトで書かれている
　
（ウ）「【００８６】・・・（中略）・・・　ゲートウェイ装置１２は、ＷＷＷサーバ機能のＨＴＴＰＤ（ＨＴＴＰデーモン）のドキュメントルートディレクトリ（例では /usr/local/www/）の下に、そのユニークＩＤの値と同じ名前を含むサブディレクトリ（例では d00c08F000000000B）を作成する（ステップ１４２，図１０参照）。このディレクトリを
ホーム機器ディレクトリ
【００８７】すなわち、対応するノードＩＤの値を内容として持つファイルをファイル名 nodeIDで作成し（ステップ１４３）、さらに、「ＣＧＩＲｅａｄｙ構造」の場合は（ステップ１４４）、その構造のなかのファイル名とＨＴＭＬ（またはＣＧＩスクリプト）の組を読み、その
ファイル名と内容（ＨＴＭＬまたはＣＧＩスクリプト）になるようなファイルをホーム機器ディレクトリに作成
　
（エ）「図１０」には、ルートディレクトリの下に、ホーム機器毎にサブディレクトリ（ホーム機器ディレクトリ）が作成され、その
ホーム機器ディレクトリに、当該ホーム機器のＨＴＭＬ記述とＣＧＩスクリプトで書かれている制御プログラムが作成
　
（オ）「【００９２】次に、広域ネットワーク上（あるいはホームネットワーク上）の端末（ＷＷＷブラウザ）からホーム機器を操作する場合に、ゲートウェイ装置１２が実行する手順を図１１を用いて説明する。
【００９３】この場合には、ゲートウェイ装置１２はＷＷＷサーバーとして機能する。すなわち、クライアント（ＷＷＷブラウザ）からアクセス要求があると（ステップ１５０）、user-IDとパスワードの入力を促し、これらの入力があると（ステップ１５１）、正当なアクセスであるかを判定する。具体的には、クライアントに、Authorizationヘッダを含む情報を提供させ、これによってホームネットワークへのアクセス制限を行う。
【００９４】　・・・（中略）・・・
【００９５】次に、ゲートウェイ装置１２は、クライアントにホーム機器の一覧表の情報を送る（ステップ１５３）。具体的には、最初のＨＴＭＬデータとして、図１２に示されるような、index.htmlファイルが送信される。そのときクライアントの端末のディスプレイには、図４（ａ）に示すような初期画面（ホームネットワークに接続されている機器の一覧表）が表示される。
【００９６】ここで、クライアントが、画面のランプ装置の表示行をクリックすると（ステップ１５４）、そのランプ（電灯）のホーム機器ディレクトリ上の、図１３に示すような menu.html ファイルが送信される（ステップ１５５）。この結果、クライアントの端末のディスプレイには、図４（ｂ）のようなメニュー画面（ホーム機器固有の操作を可能にする画面）が表示される。
【００９７】「（LAMP）ＯＮ」指示のように、ホ―ム機器の操作指示がなされたときには（ステップ１５６）、ゲートウェイ装置１２は、ホームディレクトリの onoff.cgiプログラム（図１３）を実行し、そのホーム機器のＩＥＥＥ１３９４アドレス空間中の特定アドレスに特定データを書き込む（ステップ１５７）。書き込まれたデータに基づいて、機器制御部２８（図１）がハードウエア３０を制御し、ランプのオン／オフが実現される。特定アドレスに書き込まれたデータが、どのような操作を意味するかは、機器制御部２８に設けられているデコーダ（図３の参照番号７７）が解読する。」
　
　（ア）の段落【０００６】における記載「本発明は、・・・（中略）・・・ホームネットワーク内のホームネットワーク機器の情報を集中的に管理すると共に、インターネット等の広域ネットワークやホームネットワークを介して、機器を遠隔操作することを可能とする」、及び段落【０００７】における記載「本発明では、宅内の電子機器の情報（少なくとも画面形成用の情報と機器を制御するための情報を含む）を、ホームネットワークゲートウェイ装置が自動的に収集して、各機器と対応づけて蓄積しておく。　・・・（中略）・・・　ユーザーがホームページ上の所定のアイコンをクリックすると、ゲートウェイ装置は、そのアイコンに対応する制御情報を機器に送出し、ユーザーの指示どおりに機器を動作させる。」からすると、
　引用文献には、ホームネットワークに接続された複数の電子機器夫々をユーザが前記ホームネットワークを介して操作するための電子機器の情報（少なくとも画面形成用の情報と機器を制御するための情報を含む）を管理するゲートウェイ装置が記載されている。
　そして、（イ）の段落【００７９】における記載「このように、ホーム機器用の制御プログラムは、ＨＴＭＬ記述や、Ｐｅｒｌのようなインタプリタ言語で記述されたＣＧＩスクリプトで書かれているので、」からすると、
　前記電子機器の情報（少なくとも画面形成用の情報と機器を制御するための情報を含む）は、ＨＴＭＬ記述やＰｅｒｌのようなインタプリタ言語で記述されたＣＧＩスクリプトで書かれている制御プログラムであると解される。
　
　また、（ウ）における記載「【００８６】・・・（中略）・・・ゲートウェイ装置１２は、・・・（中略）・・・そのユニークＩＤの値と同じ名前を含むサブディレクトリ（例では d00c08F000000000B）を作成する（ステップ１４２，図１０参照）。このディレクトリをホーム機器ディレクトリという。そして、・・・（中略）・・・ホーム機器ディレクトリに、図１０に示すような各種の情報を追加していく。
【００８７】すなわち、対応するノードＩＤの値を内容として持つファイルをファイル名 nodeIDで作成し（ステップ１４３）、・・・（中略）・・・ファイル名とＨＴＭＬ（またはＣＧＩスクリプト）の組を読み、そのファイル名と内容（ＨＴＭＬまたはＣＧＩスクリプト）になるようなファイルをホーム機器ディレクトリに作成する。」及び（エ）の「図１０」についての記載からすると、
　前記ゲートウェイ装置は、前記複数の電子機器夫々について前記ユーザが使用する前記ＨＴＭＬ記述やＣＧＩスクリプトで書かれている制御プログラムを個々に格納するホーム機器ディレクトリを備える。
　
　そして、（オ）の段落【００９２】における記載「広域ネットワーク上（あるいはホームネットワーク上）の端末（ＷＷＷブラウザ）からホーム機器を操作する場合に、ゲートウェイ装置１２が実行する手順を図１１を用いて説明する。」、段落【００９６】における記載「ここで、クライアントが、画面のランプ装置の表示行をクリックすると（ステップ１５４）、そのランプ（電灯）のホーム機器ディレクトリ上の、図１３に示すような menu.htmlファイルが送信される（ステップ１５５）。この結果、クライアントの端末のディスプレイには、図４（ｂ）のようなメニュー画面（ホーム機器固有の操作を可能にする画面）が表示される。」及び段落【００９７】における記載「（LAMP）ＯＮ」指示のように、ホ―ム機器の操作指示がなされたときには（ステップ１５６）、ゲートウェイ装置１２は、ホームディレクトリの onoff.cgiプログラム（図１３）を実行し、そのホーム機器のＩＥＥＥ１３９４アドレス空間中の特定アドレスに特定データを書き込む（ステップ１５７）。書き込まれたデータに基づいて、機器制御部２８（図１）がハードウエア３０を制御し、ランプのオン／オフが実現される。」からすると、
　前記ゲートウェイ装置は、前記ユーザから前記ホームネットワークを介して発行される、前記複数の電子機器の一への指示に際して、前記複数のホーム機器ディレクトリの中から前記複数の電子機器の一に対応するホーム機器ディレクトリを選択し、該ホーム機器ディレクトリに格納されたＨＴＭＬ記述やＣＧＩスクリプトで書かれている制御プログラムを実行することにより前記複数の電子機器の一を制御すると認められる。
　
　よって、（ア）〜（オ）における記載及びその関連する図面からすると、引用文献には、以下の発明（以下「引用発明」という）が記載されていると認められる。 
　 
　ホームネットワークに接続された複数の電子機器夫々をユーザが前記ホームネットワークを介して操作するためのＨＴＭＬ記述やＣＧＩスクリプトで書かれている制御プログラムを管理するゲートウェイ装置であって、
　前記複数の電子機器夫々について前記ユーザが使用する前記制御プログラムを個々に格納するホーム機器ディレクトリを備え、
　前記ユーザから前記ホームネットワークを介して発行される、前記複数の電子機器の一への指示に際して、前記複数のホーム機器ディレクトリの中から前記複数の電子機器の一に対応するホーム機器ディレクトリを選択し、該ホーム機器ディレクトリに格納された制御プログラムを実行することにより前記複数の電子機器の一を制御することを特徴とするゲートウェイ装置。
　
３．対比
　ここで、本願発明と引用発明とを比較する。
　引用発明の「ホームネットワーク」、「電子機器」、「ＨＴＭＬ記述やＣＧＩスクリプトで書かれている制御プログラム」、「ゲートウェイ装置」、及び「ホーム機器ディレクトリ」は、それぞれ、本願発明の「通信ネットワーク」、「被制御装置」、「スクリプトデータ」、「装置操作サーバ」、及び「格納部」に相当する。
　また、引用発明の「ユーザ」は、本願発明の「ユーザ」及び「利用者」に相当する。
　
　そして、引用発明の「ゲートウェイ装置」が「複数の電子機器夫々について前記ユーザが使用する前記制御プログラムを個々に格納するホーム機器ディレクトリ」を備えていることと、本願発明の「装置操作サーバ」が「複数の被制御装置夫々について前記複数のユーザ夫々が使用する前記スクリプトデータを個々に格納する格納部」を複数備えていることとはともに、「装置操作サーバ」が、複数の被制御装置夫々についてユーザが使用する前記スクリプトデータを個々に格納する格納部を備える点で共通する。
　
　また、引用発明において、「前記ユーザから前記ホームネットワークを介して発行される、前記複数の電子機器の一への指示に際して、前記複数のホーム機器ディレクトリの中から前記複数の電子機器の一に対応するホーム機器ディレクトリを選択」することと、本願発明において、「前記複数の利用者の一から前記通信ネットワークを介して発行される、前記複数の被制御装置の一への指示を発行する前記複数のユーザの一が使用する端末と、該被制御装置との組み合わせに基づいて、前記複数の格納部の中から一の格納部を選択」することとはともに、
　前記利用者から前記通信ネットワークを介して発行される、前記複数の被制御装置の一への指示における、該被制御装置に基づいて、前記複数の格納部の中から一の格納部を選択する点で共通する。
　
　以上から、本願発明と引用発明とは、以下の点で一致し、また、相違している。
　
（一致点）
　通信ネットワークに接続された複数の被制御装置夫々をユーザが前記通信ネットワークを介して操作するためのスクリプトデータを管理する装置操作サーバであって、
　前記複数の被制御装置夫々について前記ユーザが使用する前記スクリプトデータを個々に格納する格納部を備え、
　前記利用者から前記通信ネットワークを介して発行される、前記複数の被制御装置の一への指示における、該被制御装置に基づいて、前記複数の格納部の中から一の格納部を選択し、該格納部に格納されたスクリプトを実行することにより前記複数の被制御装置の一を制御することを特徴とする装置操作サーバ。
　 
（相違点） 
　本願発明の「装置操作サーバ」が「複数の被制御装置夫々について前記複数のユーザ夫々が使用する前記スクリプトデータを個々に格納する格納部」を複数備え、「前記複数の利用者の一から前記通信ネットワークを介して発行される、前記複数の被制御装置の一への指示を発行する前記複数のユーザの一が使用する端末と、該被制御装置との組み合わせに基づいて、前記複数の格納部の中から一の格納部を選択」するのに対して、
　引用発明の「ゲートウェイ装置」は複数の電子機器夫々について
複数のユーザ
複数
複数のユーザの一
複数のユーザの一
　
４．判断
　相違点について検討する。
　本願出願の日前である平成１１年１１月５日に頒布された刊行物である特開平１１−３０８３９１号公報に
「【０００９】そこで、本発明は、機器に対する指示を入力するための表示部とタッチパネルなどから構成される操作部において、機器を使いなれていない人であっても、また機器を使いなれた人であっても理解しやすく、また所望する機器への指示が簡単な操作で行える入力装置を有する情報処理システムを提供するものである。」及び
「【０１１５】まず、デジタル複写機１０Ａは、
利用者毎の操作画面を設定しておき
【０１１６】図１７は、このシステムプログラムの処理を表したフローチャートである。この情報処理システムにおいて、情報処理装置であるデジタル複写機を利用者が操作しようとすると、その利用者および利用しようとする装置が特定され、
特定された利用者の専用操作表示画面に関する表示形態情報が利用しようとする装置へと送られ
　電子機器に対する操作について、複数の利用者夫々が使用する操作画面を利用者毎に設定しておき、前記電子機器に対して、前記複数の利用者の一の利用者から、前記電子機器を操作する際に、前記電子機器への指示を発行する前記一の利用者を特定し、前記特定された一の利用者に基づいて、前記利用者毎に設定された複数の操作画面の中から該一の利用者に対応する専用操作画面を選択し、該選択された操作画面を実行することにより前記電子機器を制御することで、複数の利用者夫々にとって使い勝手の良い操作を提供することは、当業者にとって周知の技術（以下、「周知技術１」という。）である。
　そして、本願出願の日前である平成１３年１月１２日に頒布された刊行物である特開２００１−７８５７号公報に
「【０００２】
【従来の技術】従来、ネットワークに接続される種々の端末装置をユーザが利用する場合、ユーザは、使用する端末装置をネットワーク上のサーバに接続し、当該サーバから種々の情報を享受するようになされている。
【０００３】
【発明が解決しようとする課題】この場合、ユーザは自ら使用する端末装置及びこれを使用するユーザをサーバに登録することにより、サーバは情報を送信すべき端末装置及びこれを使用するユーザを認識し得るようになされている。」と記載されているように、
　ネットワークに接続されたユーザが使用する端末によって、ユーザを認識（すなわち、特定）することは、当業者にとって周知の技術（以下、「周知技術２」という。）である。
　
　してみると、引用発明の各電子機器夫々についての操作において、前記周知技術１を適用し、その際にユーザが使用する端末によって、該ユーザを認識することが周知であること（周知技術２）からすると、
　本願発明のように、前記複数の電子機器夫々について、複数のユーザ夫々が使用する、前記複数の電子機器夫々を操作するための、ＨＴＭＬ記述やＣＧＩスクリプトで書かれている制御プログラムを前記複数のユーザ毎に設定し（すなわち、前記複数の電子機器夫々について、複数のユーザ夫々が使用する前記ＨＴＭＬ記述やＣＧＩスクリプトで書かれている制御プログラムを個々に格納するディレクトリを複数備え）、前記複数のユーザの一から前記ホームネットワークを介して発行される、前記電子機器の指示に際して、前記複数のユーザの一が使用する端末に基づいて（すなわち、該電子機器と該電子機器の指示を発行する複数のユーザの一が使用する端末との組み合わせに基づいて）、前記ユーザ毎に設定した複数の制御プログラムの中から、前記複数のユーザの一が使用する前記電子機器の一の制御プログラムを選択（すなわち、前記複数のディレクトリの中から一のディレクトリを選択）し、該選択された（すなわち、該ディレクトリに格納された）制御プログラムを実行することにより前記電子機器を制御することは、当業者であれば適宜なし得たことである。
　よって、相違点は格別のものではない。
　
　上記で検討したごとく、相違点は格別のものではなく、そして、本願発明の構成によってもたらされる効果も、当業者であれば当然に予測可能なものに過ぎず格別なものとは認められない。 
　 
　したがって、本願発明は、引用文献に記載された発明及び前記周知技術に基づいて、容易に発明できたものである。
　
５．むすび 
　以上のとおり、本願発明は、引用発明及び周知技術に基いて、当業者が容易に発明することができたものであるから、特許法第２９条第２項の規定により特許を受けることができない。  
　  
　よって、結論のとおり審決する。